(57)【要約】【課題】小型化サイズとした高周波信号受信部と高周波信号機器を提供する。【解決手段】第１のクロック信号が出力されるＯＦＤＭ復調回路１０６と、第１のクロック信号より低い周波数である第２のクロック信号が出力されるＱＡＭ復調回路１０７と、これら第１、第２のクロック信号が供給されるクロック出力端子１３０とを備え、ＱＡＭ復調回路１０７とＯＦＤＭ復調回路１０６との間にコンデンサ１０５とインダクタ１０５ａを並列に接続した並列共振回路１１７を挿入し、ＱＡＭ復調回路１０７の出力とクロック出力端子１３０との間に挿入されたインダクタ１１２とクロック出力端子１３０とグランドとの間に接続されたコンデンサ１１３とで形成されたＬＰＦ１１８を接続する。これにより、所期の目的を達成することができる。【選択図】図１
2008154022.tif 000002
【特許請求の範囲】
【請求項１】
高周波信号が入力される入力端子と、この入力端子に入力された信号が一方の入力に供給されるとともに他方の入力には局部発振器の出力が供給される混合器と、この混合器の出力が供給されるとともに第１のクロック信号が出力される第１の復調回路と、前記混合器の出力が入力される第２のクロック信号が出力される第２の復調回路と、前記第１、第２のクロック信号が出力されるクロック出力端子を備え、前記第２のクロック信号の周波数は前記第１のクロック信号の周波数より高い周波数とし、前記第１の復調回路の出力と前記第２の復調回路の出力との間に第１のコンデンサと第１のインダクタとを並列に接続した第１の並列共振回路を挿入し、前記第２の復調回路の出力と前記クロック出力端子との間に第２のインダクタと第２のコンデンサとで形成されたローパスフィルタ（以下、ＬＰＦという）を挿入し、前記クロック出力端子から前記第１あるいは第２のクロック信号を出力する高周波信号受信部。
【請求項２】
第１の復調回路はＯＦＤＭ信号を復調するＯＦＤＭ復調回路とし、第２の復調回路はＱＡＭ信号を復調するＱＡＭ復調回路とする請求項１に記載の高周波信号受信部。
【請求項３】
第１、第２の復調回路の出力は、待機時において高いインピーダンスの状態とした請求項１に記載の高周波信号受信部。
【請求項４】
第１の並列共振回路の共振周波数は、第１のクロック信号の周波数の略３倍とした請求項１に記載の高周波信号受信部。
【請求項５】
ＬＰＦのカットオフ周波数は、第２のクロック信号の約１．５倍とした請求項１に記載の高周波信号受信部。
【請求項６】
第１の並列共振回路に対して直列に第１の抵抗を挿入した請求項１に記載の高周波信号受信部。
【請求項７】
ＬＰＦを構成する第２のインダクタに対して直列に第２の抵抗を挿入した請求項１に記載の高周波信号受信部。
【請求項８】
請求項１に記載の高周波信号受信部のクロック出力端子から出力される第１、第２のクロック信号が入力される信号処理回路を内蔵した高周波信号機器。
【発明の詳細な説明】
【技術分野】
【０００１】
本発明は、複数の変調方式の信号を受信する高周波信号受信部とこれを用いた高周波信号機器に関するものである。
【背景技術】
【０００２】
従来のデジタル放送受信用の高周波信号機器１は、図５に示すようにデジタル放送受信用の高周波信号受信部２とケーブルモデム用チューナ３と信号処理回路４とで構成されていた。
【０００３】
図５において、高周波信号受信部２は、デジタル放送信号が入力される入力端子６と、この入力端子６が入力７ａに接続された分配器７と、この分配器７の出力７ｂが一方の入力に接続された混合器８と、この混合器８の他方に入力された発振器９と、この発振器９の発振周波数を制御するためのＰＬＬ回路９ａと、このＰＬＬ回路９ａに制御データを入力できる制御入力端子９ｂと、混合器８の出力が共通入力に接続された切り替えスイッチ１０と、この切り替えスイッチ１０の一方の出力に接続されたＯＦＤＭ復調回路１２と、このＯＦＤＭ復調回路１２の出力が入力１３ａに接続されたフィルタ１３と、このフィルタ１３の出力１３ｂが一方の入力に接続された切り替えスイッチ１４と、切り替えスイッチ１０の他方の出力に接続されたＱＡＭ復調回路１６と、このＱＡＭ復調回路１６の出力と切り替えスイッチ１４の他方の入力にそれぞれ入力１８ａと出力１８ｂが接続されたフィルタ１８と、切り替えスイッチ１４の共通出力が接続されたクロック出力端子２０とから構成されている。
【０００４】
また、ケーブルモデム用チューナ３には、分配器７の出力７ｃに接続された入力３ａと、分配器７の入力７ｄに接続された出力３ｂが設けられている。
【０００５】
以上のように構成された高周波信号受信部２についての動作を以下に説明する。例えば、ＯＦＤＭ、ＱＡＭの２つの異なる変調方式を持つデジタル放送信号は、入力端子６を介して分配器７に入力される。分配器７の出力７ｂから出力されるデジタル放送信号は、混合器８の一方に入力され、他方の入力に供給される発振器９により選局される。
【０００６】
この混合器８から出力される中間周波信号は、切り替えスイッチ１０の共通入力に接続される。この切り替えスイッチ１０の一方の出力は、ＯＦＤＭ復調回路１２に接続され、他方の出力はＱＡＭ復調回路１６に接続される。
【０００７】
そして、制御入力端子９ｂから入力される制御信号が、ＰＬＬ回路９ａに入力される。このＰＬＬ回路９ａは、切り替えスイッチ１０、１４を制御し、ＯＦＤＭ、ＱＡＭ変調方式に対応させてＯＦＤＭ復調回路１２、ＱＡＭ復調回路１６のどちらか一方を選択するように制御する。
【０００８】
これらＯＦＤＭ復調回路１２、ＱＡＭ復調回路１６からは、ＴＳ（トランスポートストリーム）出力信号がそれぞれ出力される。このＴＳ出力信号は、クロック信号、データ信号、イネーブル信号から構成されている。
【０００９】
このデータ信号はともに、データ出力端子２１から出力される。また、ＯＦＤＭ復調回路１２、ＱＡＭ復調回路１６からそれぞれ出力されるイネーブル信号は、イネーブル出力端子２２から出力される。
【００１０】
また、ＯＦＤＭ復調回路１２から出力されるクロック信号は、フィルタ１３により不要な高調波成分が除去される。同様に、ＱＡＭ復調回路１６から出力されるクロック信号は、フィルタ１８により不要な高調波成分が除去される。
【００１１】
これらＯＦＤＭ復調回路１２、ＱＡＭ復調回路１６からそれぞれ出力されるクロック信号は、切り替えスイッチ１４の一方の入力、他方の入力にそれぞれ接続されている。この切り替えスイッチ１４の共通出力は、クロック出力端子２０に接続されている。
【００１２】
さらに、これらＴＳ出力信号は、信号処理回路４に入力される。この信号処理回路４からは音声信号と映像信号がそれぞれ出力される。（例えば下記特許文献１に開示）
【特許文献１】特開２００６−６１４９５号公報
【発明の開示】
【発明が解決しようとする課題】
【００１３】
高周波信号受信部２から出力されるクロック信号は、通常、２０〜８０ＭＨｚ帯で使われている。ところが、このクロック信号は、クロック信号であるために、大きな高調波成分を有しており、特に３倍の高調波成分が大きくなる。
【００１４】
例えば、ＯＦＤＭ復調回路１２のクロック信号は、３８．１ＭＨｚを用いている。この３８．１ＭＨｚの３倍は、１１４．３ＭＨｚとなる。また、ＱＡＭ復調回路１６のクロック信号は、６６ＭＨｚである。この６６ＭＨｚの３倍は、１９８ＭＨｚである。
【００１５】
このクロック信号の３倍の高調波成分は、電源ライン、信号ラインを通してあるいは直接幅射されることにより、高周波信号受信部２に接続されたケーブルモデム用チューナ３の入力部に飛び込んでしまう。このケーブルモデム用チューナ３の受信信号の周波数は、９０Ｍから７７０ＭＨｚが用いられている。このため、ケーブルモデム用チューナ３あるいは高周波信号受信部２の受信感度が特定の周波数で大きく損なわれていた。
【００１６】
これを防ぐため、フィルタ１３、１８を用い、さらにこれらフィルタ１３、１８の出力を切り替えるための切り替えスイッチ１４を設けていた。
【００１７】
図６（ａ）は、フィルタ１３の回路図である。図６（ａ）において、フィルタ１３の入力１３ａから出力１３ｂに向かって順に、インダクタ３１、インダクタ３２が設けられている。
【００１８】
さらに、インダクタ３１、３２の接続点とグランドの間にはコンデンサ３３が接続されている。出力１３ｂとグランドの間にはコンデンサ３４が接続されている。
【００１９】
図６（ｂ）は、フィルタ１３の特性図である。図６（ｂ）において、横軸２３ａは、周波数であり、縦軸２３ｂはクロック信号の振幅レベルである。
【００２０】
フィルタ１３の選択特性である特性１３ｃにおいて、ＯＦＤＭ復調回路１２のクロック信号の周波数２５は、３８．１ＭＨｚである。このため、カットオフ周波数２６を３８．１ＭＨｚの約１．５倍にあたる５７ＭＨｚに設定している。また、３８．１ＭＨｚの３倍の周波数２７である１１４．３ＭＨｚの成分を抑圧するように構成されていた。
【００２１】
図７（ａ）、（ｂ）は、フィルタ１８の回路図、特性図である。図７（ａ）において、フィルタ１８の入力１８ａから出力１８ｂに向かって順に、インダクタ３５、３６が設けられている。さらに、インダクタ３５、３６の接続点とグランドの間にはコンデンサ３７が接続されている。出力１８ｂとグランドとの間にはコンデンサ３８が接続されている。
【００２２】
図７（ｂ）において、特性１８ｃは、フィルタ１８の選択特性である。ＱＡＭ復調回路１６のクロック信号の周波数２２ａは、６６ＭＨｚである。このため、カットオフ周波数２８をこの６６ＭＨｚの約１．３倍にあたる８６ＭＨｚに設定している。また、これにより、周波数２２ａである６６ＭＨｚの３倍の周波数２９である１９８ＭＨｚの成分を落とすように構成されていた。
【００２３】
以上のように、フィルタ１３とフィルタ１８は、カットオフ周波数を異なる周波数とし、かつクロック信号の３倍の高調波成分を抑圧するために多段の構成とした。さらに、フィルタ１３、１８の出力を切り替えるための切り替えスイッチ１４が必要となった。このため、小型化サイズとした高周波信号受信部２の実現ができなかった。
【００２４】
本発明は、この問題を解決したもので、小型化サイズとした高周波信号受信部を提供することを目的としている。
【課題を解決するための手段】
【００２５】
第２のクロック信号の周波数は第１のクロック信号の周波数より高い周波数とし、第１の復調回路の出力と第２の復調回路の出力との間に第１のコンデンサと第１のインダクタとを並列に接続した第１の並列共振回路を挿入し、前記第２の復調回路の出力とクロック出力端子との間に第２のインダクタと第２のコンデンサとで形成されたＬＰＦを挿入し、前記クロック出力端子から前記第１あるいは第２のクロック信号を出力する。
【００２６】
これにより、所期の目的を達成できる。
【発明の効果】
【００２７】
以上のように本発明によれば、第２のクロック信号の周波数は第１のクロック信号の周波数より高い周波数とし、第１の復調回路の出力と第２の復調回路の出力との間に第１のコンデンサと第１のインダクタとを並列に接続した第１の並列共振回路を挿入し、前記第２の復調回路の出力とクロック出力端子との間に第２のインダクタと第２のコンデンサとで形成されたＬＰＦを挿入し、前記クロック出力端子から前記第１あるいは第２のクロック信号を出力する。
【００２８】
このように、第１の並列共振回路とＬＰＦの組み合わせの簡単な回路構成としたフィルタにより、不要なクロック信号の高調波成分を抑圧することができる。従って、小型化サイズとした高周波信号受信部の実現が可能となる。
【００２９】
また、これら第１の並列共振回路とＬＰＦは回路構成が簡単なため、クロック信号の高調波成分がフィルタから幅射されることが少ない。従って、高周波信号受信部としての受信感度の劣化が生じない、あるいは高周波信号受信部に接続される周辺機器への影響を小さくすることができる。
【発明を実施するための最良の形態】
【００３０】
以下、本発明の実施の形態について、図面を用いて説明する。
【００３１】
（実施の形態１）
図１は、本発明の実施の形態１における高周波信号機器９９のブロック図である。図１において、高周波信号機器９９は、高周波信号受信部１００と、ケーブルモデム用チューナ１０９と、信号処理回路１３３とから構成されている。
【００３２】
高周波信号受信部１００は、デジタル放送信号が入力される入力端子１０１と、この入力端子１０１が入力１０８ａに接続された分配器１０８と、この分配器１０８の出力１０８ｂが一方の入力に接続された混合器１０２と、この混合器１０２の他方に入力された発振器１０３と、この発振器１０３の発振周波数を制御するためのＰＬＬ回路１０３ａと、このＰＬＬ回路１０３ａに制御データを入力できる制御入力端子１０３ｂと、混合器１０２の出力が共通入力に接続された切り替えスイッチ１０４と、この切り替えスイッチ１０４の一方の出力に接続されたＯＦＤＭ復調回路１０６と、このＯＦＤＭ復調回路１０６の出力が一方の入力端子１１９に接続されたフィルタ１１５と、このフィルタ１１５の他方の入力端子１２０とスイッチ１０４の他方の出力との間に接続されたＱＡＭ復調回路１０７と、フィルタ１１５の出力端子１１４が接続されたクロック出力端子１３０とから構成されている。
【００３３】
また、ケーブルモデム用チューナ１０９には、分配器１０８の出力１０８ｃに接続された入力１０９ａと、分配器１０８の入力１０８ｄに接続された出力１０９ｂが設けられている。
【００３４】
また、切り替えスイッチ１０４に設けられた制御入力１０４ａには、ＰＬＬ回路１０３ａから出力される制御信号１２２が接続されている。
【００３５】
以上のように構成された高周波信号機器９９についての動作を以下に説明する。例えば、ＯＦＤＭ、ＱＡＭの２つの異なる変調方式を持つデジタル放送信号は、入力端子１０１を介して分配器１０８に入力されて分配される。分配器１０８の出力１０８ｂから出力されるデジタル放送信号は、混合器１０２と発振器１０３により選局される。
【００３６】
この混合器１０２から出力される中間周波信号は、切り替えスイッチ１０４の共通入力に供給されている。この切り替えスイッチ１０４の制御入力１０４ａには、ＰＬＬ回路１０３ａから出力される制御信号が供給されている。この制御データにより、切り替えスイッチ１０４は、ＯＦＤＭ、ＱＡＭ変調方式に応じてＯＦＤＭ復調回路１０６、ＱＡＭ復調回路１０７のどちらか一方を選択するように制御される。
【００３７】
なお、ＯＦＤＭ復調回路１０６、ＱＡＭ復調回路１０７は、一方は動作状態とされ、他方は待機状態とされる。この待機状態とされた復調回路は、最低限の電流に抑えられると共に、出力端子はオープンコレクタとされて高いインピーダンスの状態となり、一方の復調回路からの出力信号の振幅レベルに対して負荷とならないようにしている。
【００３８】
これらＯＦＤＭ復調回路１０６、ＱＡＭ復調回路１０７からは、ＴＳ出力信号がそれぞれ出力される。このＴＳ出力信号とは、クロック信号、データ信号、イネーブル信号から構成されている。
【００３９】
これらＯＦＤＭ復調回路１０６、ＱＡＭ復調回路１０７からそれぞれ出力されるデータ信号はともに、データ出力端子１３１から出力される。また、ＯＦＤＭ復調回路１０６、ＱＡＭ復調回路１０７からそれぞれ出力されるイネーブル信号はともに、イネーブル出力端子１３２から出力される。
【００４０】
また、ＯＦＤＭ復調回路１０６から出力されるクロック信号とＱＡＭ復調回路１０７から出力されるクロック信号はともに、フィルタ１１５により不要な高調波成分が除去される。
【００４１】
このようにして、これらＴＳ出力信号は、信号処理回路１３３に入力される。この信号処理回路１３３の音声信号出力端子１３３ａ、映像信号出力端子１３３ｂからは、音声信号と映像信号がそれぞれ出力される。
【００４２】
図２は、フィルタ１１５の回路構成である。図２において、フィルタ１１５は、入力端子１１９から出力端子１１４に向かって順に、コンデンサ１０５と、抵抗１１０と、抵抗１１１と、インダクタ１１２が接続されている。コンデンサ１０５には、インダクタ１０５ａが並列に接続されている。出力端子１１４とグランド間には、コンデンサ１１３が接続されている。抵抗１１０と１１１の接続点は入力端子１２０に接続されている。
【００４３】
このような構成とすることにより、フィルタを簡素化することができ、さらに図５の従来例に使用される切り替えスイッチ１４を削除することが可能となる。
【００４４】
図３は、フィルタ１１５の特性１１５ａを示す。横軸２３ａは、周波数であり、縦軸２３ｂはクロック信号の振幅レベルである。
【００４５】
図３において、コンデンサ１０５とインダクタ１０５ａによる並列共振回路１１７の共振周波数３０ａは、ＯＦＤＭ復調回路１０６から出力されるクロック信号の周波数２５である３８．１ＭＨｚに対して３倍の周波数である１１４．３ＭＨｚとしている。
【００４６】
また、インダクタ１１２とコンデンサ１１３により、ＬＰＦ（ローパスフィルタ）１１８を構成している。このＬＰＦ１１８のカットオフ周波数２８は、ＱＡＭ復調回路１０７から出力されるクロック信号の周波数２２ａである６６ＭＨｚに対して約１．５倍の周波数２８である９９ＭＨｚに設定している。
【００４７】
これにより、ＯＦＤＭ復調回路１０６のクロック信号の周波数２５である３８．１ＭＨｚの３倍の周波数３０ａである１１４．３ＭＨｚと、ＱＡＭ復調回路１０７のクロック信号の周波数２２ａである６６ＭＨｚの３倍の周波数３０ｂである１９８ＭＨｚを十分に抑圧することが可能となる。
【００４８】
また、抵抗１１０は、ＯＦＤＭ復調回路１０６のクロック信号の振幅レベルを可変でき、ＱＡＭ復調回路１０７のクロック信号の振幅レベルに合わせることができる。
【００４９】
さらに、抵抗１１１は、フィルタ１１５から出力されるクロック信号の振幅レベルを最適化することができる。
【００５０】
なお、ＯＦＤＭ復調回路１０６のクロック信号の周波数２５である３８．１ＭＨｚは、ＱＡＭ復調回路１０７のクロック信号の周波数２２ａである６６ＭＨｚより小さい。このため、この低いクロック信号の周波数を有するＯＦＤＭ復調回路１０６の出力に、コンデンサ１０５、インダクタ１０５ａからなる並列共振回路１１７を設けている。
【００５１】
なお、例えばＱＡＭ復調回路１０７のクロック信号の周波数が、ＯＦＤＭ復調回路１０６のクロック信号の周波数より低い場合には、入力端子１２０に並列共振回路１１７を設けることができる。
【００５２】
さらに、並列共振回路１１７をＬＰＦ形式にすることも考えられるが、この場合、ＬＰＦの接地用コンデンサの容量により、他方の復調回路であるＱＡＭ復調回路１０７のクロック信号の振幅レベルが小さくなってしまう。このため、グランドへの接地を持たない並列共振回路が有効となってくる。
【００５３】
さらにまた、高周波信号受信部１００の混合器１０２と発振器１０３をシリコンチューナで構成し、あるいはＯＦＤＭ復調回路１０６、ＱＡＭ復調回路１０７、フィルタ１１５を筐体の外に出し、セットの基板にオンボード化する場合もあるが、本発明は、その手段は問わない。
【００５４】
（実施の形態２）
図４は、本発明の実施の形態２における高周波信号受信部１４１である。実施の形態１では、ＯＦＤＭ復調回路１０６とＱＡＭ復調回路１０７を切り替えスイッチ１０４により切り替えている。これに対して、実施の形態２においては、例えばＱＡＭ復調回路１０７のみを用いている。
【００５５】
なお、実施の形態１と同じ構成を有するものは、同一の符号を付し、その理由を簡略化している。
【００５６】
図４において、高周波信号機器１４１は、高周波信号受信部１４０と、ケーブルモデム用チューナ１０９と、信号処理回路１３３とから構成されている。この高周波信号受信部１４０に設けられたクロック出力端子１３０ａ、データ出力端子１３１ａ、イネーブル出力端子１３２ａは、信号処理回路１３３にそれぞれ入力されている。
【００５７】
そして、混合器１０２の出力は、ＱＡＭ復調回路１０７に入力される。このＱＡＭ復調回路１０７から出力される復調信号は、フィルタ１１５ａにより不要なクロック信号の高調波成分が抑圧される。さらに、このフィルタ１１５ａでは、並列共振回路１１７と、抵抗１１０が削除されている。
【００５８】
このように構成された高周波信号機器１４１は、都市部で利用される場合が多い。これは、都市部では、伝送できるデータ量の多いＱＡＭ方式を利用されることが多いためである。
【００５９】
一方、ＱＡＭ復調回路１０７の代わりにＯＦＤＭ復調回路１０６を用いた高周波信号機器１４１ａ（図示せず）は、地方で利用される場合が多い。地方では、地上波で送られてくるＯＦＤＭ放送信号をできるだけ用いて再送信するためである。
【００６０】
この高周波信号受信装置１４１ａに用いられるフィルタ１１５ｂ（図示せず）は、フィルタ１１５から入力端子１２０を削除すればよい。
【００６１】
以上のように、これら３種類の方式に対応できる高周波信号受信部を、製造、販売することが要求された。
【００６２】
これに対して、実施の形態１に示す高周波信号受信部１００を基にして、ＱＡＭ復調回路１０７のみとした高周波信号受信部１４０、あるいはＯＦＤＭ復調回路１０６のみとした高周波信号受信部１４０ａとすることにより対応が可能となる。
【００６３】
つまり、これら３種類の高周波信号受信部をともに同じピン配列で作製することができる。また、これらを用いた高周波信号機器９９、１４１等に用いられる基板ボードについても標準化することができるので、物造りの効率化を図ることができる。
【産業上の利用可能性】
【００６４】
本発明にかかる小型化サイズとした高周波信号受信部あるいは高周波信号機器は、地上波デジタル放送およびデジタルケーブルテレビ放送の受信に用いることができる。
【図面の簡単な説明】
【００６５】
【図１】本発明の実施の形態１における高周波信号機器のブロック図
【図２】同、高周波信号受信部のフィルタの回路図
【図３】同、高周波信号受信部のフィルタの特性図
【図４】本発明の実施の形態２における高周波信号機器のブロック図
【図５】従来例における高周波信号機器のブロック図
【図６】（ａ）は同フィルタ１３の回路図、（ｂ）は同フィルタ１３の特性図
【図７】（ａ）は同フィルタ１８の回路図、（ｂ）は同フィルタ１８の特性図
【符号の説明】
【００６６】
１００  高周波信号受信部
１０１  入力端子
１０２  混合器
１０３  発振器
１０５  コンデンサ
１０５ａ  インダクタ
１０６  ＯＦＤＭ復調回路
１０７  ＱＡＭ復調回路
１１２  インダクタ
１１３  コンデンサ
１１７  並列共振回路
１１８  ＬＰＦ
１３０  クロック出力端子
【図１】
2008154022.tif 000003
【図２】
2008154022.tif 000004
【図３】
2008154022.tif 000005
【図４】
2008154022.tif 000006
【図５】
2008154022.tif 000007
【図６】
2008154022.tif 000008
【図７】
2008154022.tif 000009